(57)【要約】      （修正有）【課題】１枚以上の多数枚の表示板を上部、側部などいずれの側でも纏まり良く、重合状態を無理なく整然と配設できるようにした枢軸支持装置を提供する。【解決手段】１枚以上の表示板８を一側で折り返し自在に集束する枢軸支持装置であって、軸杆３に回転自在に挿通する複数の環体４を備え、各環体には外方への突起片５を突出させ、この突起片には蝶番機構の連結片６を連設し、この連結片に表示板８の上部を固定させて１枚以上の表示板を集束できる。【選択図】図１
2008122587.tif 000002
【特許請求の範囲】
【請求項１】
１枚以上の表示板を一側で折り返し自在に集束する枢軸支持装置であって、軸杆に回転自在に挿通する複数の環体を備え、各環体には外方への突起片を突出させ、この突起片には蝶番機構の連結片を連設し、この連結片に表示板の上部を固定させて１枚以上の表示板を集束できるようにして成ることを特徴とする枢軸支持装置。
【請求項２】
表示板の一側は、２個の環体の連結片と固定させて成ることを特徴とする請求項１記載の枢軸支持装置。
【請求項３】
折り返し自在に支持する側は、上部ないし側部のいずれかで行うことを特徴とする請求項１記載の枢軸支持装置。
【請求項４】
１枚以上の表示板は、環体の突起片に回動自在の連結片に取替自在に利用して成ることを特徴とする請求項１記載の枢軸支持装置。
【請求項５】
軸杆には複数の環体の中央箇所に、間隔保持のための規制環を嵌挿して成ることを特徴とする請求項１記載の枢軸支持装置。
【発明の詳細な説明】
【技術分野】
【０００１】
本発明は、広告とか表示などを目的とする各種表示板を、１枚以上折り返し可能に回転させて支持する枢軸支持装置に関する。
【背景技術】
【０００２】
一般に看板などの表示板は、上部とか側部などを折り返して表側とか裏側を表示することが行われている。
【０００３】
この折り返し表示板は、蝶番とか軸に回転可能のリングなどを用いて、所謂、枢軸構造にすることが広く行われている。
【０００４】
また、工事用看板で上下２枚の表示板を用い、蝶番を用いて上下に折り曲げ、表示内容を表側と裏側で異ならせたものが知られている（特許文献１参照）。
【特許文献１】特開平５−１４０９１５号公報
【発明の開示】
【発明が解決しようとする課題】
【０００５】
１枚以上の多数の表示板を一側で折り返して軸支集束する際、多数の表示板が重なり合うため、集束して支持させると表示板の肉厚が大きくなり、吊下状態で整然と纏まらず、中心より外側に行くにしたがって広がり、極端な場合は裾広がり現象を生じて了う。したがって、表示板を多数枚用いることができないという問題があった。
【０００６】
本発明は、叙上の点に着目してなされていもので、１枚以上の多数枚の表示板を上部、側部などいずれの側でも纏まり良く、重合状態を無理なく整然と配設できるようにした枢軸支持装置を得ることを目的とする。
【課題を解決するための手段】
【０００７】
この発明は下記の構成を備えることにより上記課題を解決できるものである。
【０００８】
（１）１枚以上の表示板を一側で折り返し自在に集束する枢軸支持装置であって、軸杆に回転自在に挿通する複数の環体を備え、各環体には外方への突起片を突出させ、この突起片には蝶番機構の連結片を連設し、この連結片に表示板の上部を固定させて１枚以上の表示板を集束できるようにして成ることを特徴とする枢軸支持装置。
【０００９】
（２）表示板の一側は、２個の環体の連結片と固定させて成ることを特徴とする前記（１）記載の枢軸支持装置。
【００１０】
（３）折り返し自在に支持する側は、上部ないし側部のいずれかで行うことを特徴とする前記（１）記載の枢軸支持装置。
【００１１】
（４）１枚以上の表示板は、環体の突起片に回動自在の連結片に取替自在に利用して成ることを特徴とする前記（１）記載の枢軸支持装置。
【００１２】
（５）軸杆には複数の環体の中央箇所に、間隔保持のための規制環を嵌挿して成ることを特徴とする前記（１）記載の枢軸支持装置。
【発明の効果】
【００１３】
本発明によれば、軸を支点で折り返す際、環体と表示板とが直接接続されていると、折り返す操作が滑らかに行い難い問題があり、また２枚以上に表示板が重なると吊り下がった状態で嵩張り、重なり具合が悪く裾広がりが生じて体裁が悪いが、軸杆に挿通される環体には突起片が突出し、かつ蝶番機構のヒンジ状の連結片を介して表示板と連結してあるので、蝶番機構で突起片と回動自在に接続される表示板は、軸杆周辺を回動する環体と二重の回動作用を呈して、軸杆での環体による折り返し反転作用が無理なく行えると共に、環体に突起片を突出させているので、重なり合う他の表示板の肉厚を吸収でき、換言すればその肉厚分だけ環体の突起片が傾斜して外側に位置する表示板を蝶番機構の連結片によって無理なく垂直方向に他の表示板と平行状態で重ね合わせることができる。
【００１４】
この枢軸支持装置は、主として軸杆を水平方向の横方向に構成される看板，表示器などに用いられるが、垂直方向の縦方向に設けても同様に自由に用いることができる。
【発明を実施するための最良の形態】
【００１５】
以下本発明を実施するための最良の形態を、実施例により詳しく説明する。
【実施例１】
【００１６】
以下に、本発明の一実施例を図面について説明する。
【００１７】
なお、実施例では起立した基板の上端又はその上方に設けた軸により折り返し反転する２枚の表示板を設けた縦看板に用いた場合を示す枢軸支持装置について説明する。
【００１８】
図において、１は基台２上に起立する方形状の基板、３は前記基板１の上方に配設される軸杆、４，４，……は軸杆３に挿通されて回転される複数の環体、５，５，……は各環体４，４，……の外周に外方へ向けて突出させた突起片、６，６，……は各突起片５，５，……に設けたピン７，７，……で回動自在のヒンジなどの蝶番機構の連結片、をそれぞれ示す。
【００１９】
８１，８２は２枚の同形同大の表示板を示し、それぞれの上部両側を前記それぞれ２個宛の連結片６，６と、ビス９，９で固着するものである。なお、２個宛の連結片６，６は特定されることなく好みの２個のものを選んで表示板の上部を固着すれば良い。
【００２０】
したがって、図示では２個づつ４個の環体が軸杆３に挿通され、中央には間隔保持用の規制環１０を挿通させて置くのが好ましい。
【００２１】
なお図示では、表示板８１，８２が２枚であるが、３枚，４枚……と増加することができ、この場合は環体４も当然にその倍数、即ち６個，８個と増加して軸杆３内に挿通して同一構成の突起片，連結片を追加して各環体に設けて、同様の操作でビスなどを用いて追加される表示板を固着すれば良い。なお環体４の数が増加し、表示板の数が増加する場合は中央の間隙保持用の規制環を省くことができる。
【００２２】
ところで、表示板８１，８２の表側の表示面１１１，１１２と裏側の表示面１２１，１２２と、基板１の表側の表示面１ａと裏側の表示面１ｂとを組み合わせて表側の表示面と裏側の表示面とを同一内容の表示とすることができる。
【００２３】
即ち、最初の表示板８１の表側の表示面１１１と、基板１の裏側の表示面１ｂとを同一の表示内容Ａとし、また最初の表示板８１の折り返して裏側の表示面１２１と、第２枚目の表示板８２の表側の表示面１１２とを同一の表示内容Ｂとし、さらに第２番目の表示板８２を折り返して表示板８２の裏側の表示面１２２と、基板１の表側の表示面１ａとを同一の表示内容Ｃとすることにより、常に表示板８１，８２の折り返し位置に関係なく、看板装置として表側と裏側の表示内容をＡＡ，ＢＢ，ＣＣの同一内容で表示できる。
【００２４】
したがって、Ａを「準備中」，Ｂを「営業中」，Ｃを「定休日」などと表示すれば、単に表示板を折り返すだけで表側と裏側の両面での同一内容の表示効果が得られるので、店頭，街頭などに設置して置くことにより、往来する人々には表側，裏側に関係なく同一の表示が表されてきわめて便利となる。
【００２５】
さらに、表示板８１，８２の軸杆３を中心とする回転折り返し操作に突起片５，５が環体４，４に設けられており、さらに蝶番機構の連結片６，６を備えているので操作がしやすく、特に突起片５，５が傾斜しても連結片６，６が蝶番機構を備えているので、表示板８１，８２は常に垂直状態を保持でき、したがって体裁感を向上できる。
【００２６】
本実施例では、表示板８１，８２が２枚であるが、３枚，４枚と増えるにしたがって重ね合わせ状態が増加しても、環体および蝶番機構の連結片の二重の回動作用による相乗効果のため、円滑な操作と常に垂直状態に重なり合う状態を保持できる。
【００２７】
以上、本発明について基板１上に設けた垂直方向の表示板方式の実施例について記述したが、基板を省略して軸杆３のみの構成にも適用できると共に、軸杆を縦方向に設けこれに環体を挿通して１以上の表示板を横方向に掛架しても同様に実施できる（図示せず）。
【００２８】
また、表示板上での表示内容は好みのもので良く、広告のみならず地図などの表示とか、場所などの地域の表示など、多目的の表示に広く利用できる。
【図面の簡単な説明】
【００２９】
【図１】本発明の枢軸支持装置の一実施例を示す正面図
【図２】図１のＩＩ−ＩＩ線縦断面図
【図３】要部の拡大斜面図
【符号の説明】
【００３０】
１    基板
１ａ  基板１の表側の表示面
１ｂ  基板１の裏側の表示面
２    基台
３    軸杆
４，４，……    環体
５，５，……    突起片
６，６，……    連結片
７，７，……    ピン
８１，８２，……    表示板
９，９    ビス
１０      規制環
１１１，１１２    表示板８１，８２の表側の表示面
１２１，１２２    表示板８１，８２の裏側の表示面
【図１】
2008122587.tif 000003
【図２】
2008122587.tif 000004
【図３】
2008122587.tif 000005